(57)【要約】【課題】舌を損傷したり、舌の上を何回も掻き取る動作を繰り返すことなく、舌の舌苔を掻き取れる安全且つ効率的な舌クリーナーを提供する。  【解決手段】舌を清掃する舌クリーナーであって、把持棒と、その把持棒の端縁に配設された合成樹脂製の清掃部とを備え、清掃部の舌と当接する当接部は中央部に向かって凹むように凹状に形成され、また、その当接部は小突起部が形成され、小突起部の立上り傾斜角は、把持棒及び清掃部の基準平面に対して、把持棒の掻取方向から見て鈍角約１００度〜１３５度の立上り傾斜角を有し、清掃部の上下方向の肉厚が先端に行くに従って薄くなるように形成されている。【選択図】図１
2009028529.tif 000002
【特許請求の範囲】
【請求項１】
把持棒と、該把持棒の端縁に配設された合成樹脂製の清掃部とを備え、該清掃部の舌と当接する当接部は、上方に凸状の舌の外表面の形状に広範囲にわたり略当接するように、該当接部の左右から中央部に向かって次第に凹むように凹状に形成されていることを特徴とする舌クリーナー。
【請求項２】
把持棒と、該把持棒の端縁に配設され且つ硬度が約７０〜９５の合成樹脂製の清掃部
とを備え、該清掃部の舌と当接する当接部は小突起部を具備し、該小突起部の立上
り傾斜角は、前記把持棒の掻取方向から見て、或は該当接部の円弧状等の曲率の中心
点から見て、前記把持棒及び前記清掃部の基準平面に対して、鈍角約１００度〜１３
５度の立上り傾斜角を有することを特徴とする舌クリーナー。
【請求項３】
把持棒と、該把持棒の端縁に配設された合成樹脂製の清掃部とを備え、該清掃部の舌
と当接する当接部は上方に凸状の舌の外表面の形状に広範囲にわたり略当接するよ
うに、該当接部の左右から中央部に向かって次第に凹むように凹状に形成されると共
に、該当接部が清掃部の上下両端にそれぞれ設けられ且つ該上下両端の当接部はそれ
ぞれ小突起部を具備し、該両小突起部のそれぞれの立上り傾斜角は、前記把持棒の掻
取方向から見て、或は該当接部の円弧状等の曲率の中心点から見て、前記把持棒及び
前記清掃部の基準平面に対して、鈍角約１００度〜１３５度の立上り傾斜角を有し、
且つそれぞれの小突起部の立上り傾斜角が異なることを徴とする舌クリーナー。
【請求項４】
清掃部の上下両端に設けられた当接部の間に舌の清掃付着物が添着する添着用突出部が設けられた請求項３に記載の舌クリーナー。
【請求項５】
把持棒と、該把持棒の端縁に配設され且つ硬度が約７０〜９５の合成樹脂製の清掃部
とを備え、該清掃部の舌と当接する当接部は、上方に凸状の舌の外表面の形状に広範
囲にわたり略当接するように、該当接部の左右から中央部に向かって次第に凹むよう
に凹状に形成され、且つ該当接部は小突起部を具備し、該小突起部は前記把持棒及び
前記清掃部の基準平面に対して、略垂直に立上り且つ該小突起部の立上り部の肉厚は
極薄の約０．０１〜１ミリメートルであり、小突起部の先端は舌苔の掻き取りが出来
且つ舌表面を損傷しない程度の所定の曲率をもって形成され、或は小突起部の先端が
加熱融解された合成樹脂の金型内への進入立上りのままに細く形成されていること
を特徴とする舌クリーナー。
【請求項６】
把持棒の端縁に配設された合成樹脂製の清掃部の形状がリング状或は中空の多角形である請求項１、２、３、４或は５に記載の舌クリーナー。
【請求項７】
把持棒の端縁に配設された合成樹脂製の清掃部の形状がリング状或は中空の多角形状であり、且つ前記リング状の部分或は多角形状の部分の上下方向の肉厚が把持棒側から把持棒側とは反対の先端に行くに従って薄くなるように形成された請求項１、２、３、４或は５に記載の舌クリーナー。
【発明の詳細な説明】
【技術分野】
【０００１】
本発明は人体の舌の表面に細菌が繁殖して生じる舌苔を掻き取って清掃する舌クリーナーに関する。更に詳述すると、本発明は、舌苔を簡単且つ確実に清掃できる舌クリーナーの改良に関するものである。
【背景技術】
【０００２】
人の舌の表面には細長い形をした糸状乳頭と呼ぶ組織があり、この表面に繁殖した細菌が付着したものが舌苔である。舌の上で白く分厚い舌苔が慢性化すると、口臭を引き起こす。舌苔の表面には食物の残りかすが留まりやすく、細菌が繁殖して、においの元になる硫黄化合物が発生しやすくなる。この舌苔を除去するため、舌をごしごしと力を入れて舌をこすったりすると、糸状乳頭を傷つけ、味覚障害を起こす恐れがある。
【０００３】
そこで、この舌苔を清掃除去するために、従来、種々の舌の清掃器具が提案されている。例えば、実開昭６４−６９１６号には柄部１、５a、清掃枠３，５、掻取部３a、５bが設けられた「舌の清掃器」が示されている。
特許第３０１４０８６号（特開平９−２９４６８８）にはクリーナ部１１、ステンレス棒１２、柄１３、舌掻き部１４よりなる舌クリーナ１０が示されている。
このような従来の舌の清掃器具はいずれも皆、舌に直接当接する器具の当接箇所の包絡面は曲面ではなく、完全に平らな平面になっている。一方、人の舌は上に凸状の曲面となっており、このような舌の凸状曲面に対して、従来の舌清掃器具の当接包絡平面で舌の表面を掻くと、舌の凸状になった部分の狭い範囲に器具の当接平面が当接するので、舌の凸状部が傷つきやすいという問題がある。
【０００４】
このような問題を軽減するため、上記特許第３０１４０８６号においてはクリーナ部１１に「自動車のワイパと同様にブレード状」の舌掻き部１４が設けれており、舌掻き部１４の先端が図４に示されているように、「反り返って舌表面１６をすり動く」ようになっている。しかしながら、「全周に亘って薄壁体の高さが一定となっている」ので、舌の凸状部の狭い範囲にのみ力が加わり、どうしても舌が傷つきやすくなるという問題が残る。また、経時変化で合成樹脂製の舌掻き部１４のブレードが硬化すると、舌の表面が傷つきやすくなる。しかも、器具の狭い範囲が舌に当接するような構造である故、舌の全表面を綺麗に清掃するには、舌掻き部１４を舌の表面上で数回往復させなければ、舌の全表面を清掃できないので、舌の清掃に時間が掛るという問題がある。
【０００５】
【特許文献１】実開昭６４−６９１６号
【特許文献２】特許第３０１４０８６号（特開平９−２９４６８８）
【発明の開示】
【発明が解決しようとする課題】
【０００６】
本発明は従来の器具の上述のような問題点を解決できる人間工学的に考えた新しい技術を提供することを目的としている。
【課題を解決するための手段】
【０００７】
上記の目的を達成するために、請求項１に記載の舌クリーナーは、把持棒と、その
把持棒の端縁に配設された合成樹脂製の清掃部とを備え、その清掃部の舌と当接する
当接部は、上方に凸状の舌の外表面の形状に広範囲にわたり略当接するように、前記
当接部の左右から中央部に向かって次第に凹むように凹状に形成されている。
【０００８】
また、請求項２に記載の舌クリーナーは、把持棒と、その把持棒の端縁に配設され且つ硬度が約７０〜９５の合成樹脂製の清掃部とを備え、その清掃部の舌と当接する当接部は小突起部を具備し、その小突起部の立上り傾斜角は、前記把持棒の掻取方向から見て、或は前記当接部の円弧状等の曲率の中心点から見て、前記把持棒及び前記清掃部の基準平面に対して、鈍角約１００度〜１３５度の立上り傾斜角を有している。
【０００９】
更に、請求項３に記載の舌クリーナーは、把持棒と、その把持棒の端縁に配設された合成樹脂製の清掃部とを備え、その清掃部の舌と当接する当接部は上方に凸状の舌
の外表面の形状に広範囲にわたり略当接するように、その当接部の左右から中央部に向かって次第に凹むように凹状に形成されると共に、その当接部が清掃部の上下両端にそれぞれ設けられ且つその上下両端の当接部はそれぞれ小突起部を具備し、その両小突起部のそれぞれの立上り傾斜角は、前記把持棒の掻取方向から見て、或は前記当接部の円弧状等の曲率の中心点から見て、前記把持棒及び前記清掃部の基準平面に対して、鈍角約１００度〜１３５度の立上り傾斜角を有し、且つそれぞれの小突起部の立上り傾斜角が異なるように形成されている。
【００１０】
更にまた、請求項４に記載の舌クリーナーは、請求項３において、清掃部の上下両端に設けられた当接部の間に舌の清掃付着物が添着する添着用突出部が設けられている。
【００１１】
また、請求項５に記載の舌クリーナーは、把持棒と、その把持棒の端縁に配設され且つ硬度が約７０〜９５の合成樹脂製の清掃部とを備え、該清掃部の舌と当接する当接部は、上方に凸状の舌の外表面の形状に広範囲にわたり略当接するように、該当接
部の左右から中央部に向かって次第に凹むように凹状に形成され、且つ該当接部は小
突起部を具備し、該小突起部は前記把持棒及び前記清掃部の基準平面に対して、略垂
直に立上り且つ該小突起部の立上り部の肉厚は約０．０１〜１ミリメートルであり、
小突起部の先端は舌苔の掻き取りが出来且つ舌表面を損傷しない程度の所定の曲率を
もって形成され、或は小突起部の先端が加熱融解された合成樹脂の金型内への進入立上りのままに細く形成されている。
【００１２】
また、請求項６に記載の舌クリーナーは、請求項１、２、３、４或は５における合成樹脂製の清掃部の形状がリング状或は中空の多角形状である。
【００１３】
また、請求項７に記載の舌クリーナーは、請求項１、２、３、４或は５における合成樹脂製の清掃部の形状がリング状或は多角形状であり、且つ前記リング状の部分或は中空の多角形状の部分の上下方向の肉厚が前記把持棒側から把持棒側とは反対の先端に行くに従って薄くなるように形成されている。
【発明の効果】
【００１４】
本発明の舌クリーナーは、エラストマー等の軟質の合成樹脂製からなる清掃部の舌
と当接する当接部は、上方に凸状の舌の外表面の形状に広範囲にわたり略当接するよ
うに、その当接部の左右から中央部に向かって次第に凹むように凹状に形成されてい
るので、清掃部に力を加えても、その力は広い範囲にわたって舌に加わるので、舌を
傷つけることがなく、しかも、１度の掻き取りにより、舌の広い範囲を清掃することが出来るので、舌の清掃が短時間に効率よく達成できる。しかも、清掃部の舌と当接する当接部は、その当接部の左右から中央部に向かって一様に、凹凸無く、次第に凹むように凹状に形成されているので、上方に凸状の舌の表面上を左右方向に移動させても舌を全く傷つける恐れはない。
【００１５】
また、硬度が約７０〜９５の合成樹脂製の清掃部の舌と当接する当接部は小突起部
を具備し、その小突起部の立上り傾斜角は、前記把持棒の掻取方向から見て、或は前記当接部の円弧状等の曲率の中心点から見て、ポリプロピレン等の硬質の合成樹脂製からなる把持棒及び清掃部の基準平面に対して、鈍角約１０５度〜１３５度の立上り傾斜角を有し、清掃部により、舌の表面上を掻き取る際、舌苔の掻き取り強度はこの立上り傾斜角により定まるので、この角度を変えるだけで舌苔の掻き取り具合を調整できる。従って、たとえ、合成樹脂製の清掃部が経時変化で硬化しても、舌苔の掻き取り強度は殆ど変わらないという特徴が得られる。なお、その際、合成樹脂製の清掃部の硬度も関係して来るので、実際に舌の表面を掻き取りながら、立上り傾斜角を調整する。
【００１６】
更にまた、合成樹脂製の清掃部の舌と当接する当接部が清掃部の上下両端のそれぞれに設けられ、且つその上下両端の当接部はそれぞれ小突起部を具備し、それら両小突起部のそれぞれの立上り傾斜角は、把持棒の掻取方向から見て、或は前記当接部の円弧状等の曲率の中心点から見て、把持棒及び前記清掃部の基準平面に対して、鈍角約１００度〜１３５度の立上り傾斜角を有し、且つそれぞれの小突起部の傾斜角が異なるように形成出来るので、傾斜角が広い方は掻き取り感触が柔らかく、即ち、ソフトとなり、傾斜角が狭い方は掻き取り感触がきつく、即ち、ハードとなり、人の好みに応じてこれら２種類の使用方法が実現出来、１個のクリーナーで２種類の使い方が出来て、極めて便利である。
【００１７】
清掃部の上下両端に設けられた当接部の間に舌の清掃付着物が添着する添着用突出部が設けられた場合、掻き取られた舌苔をこの突出部により集められるので、清掃部から舌苔を極めて容易に取り除くことが出来る。
【００１８】
また、当接部の小突起部が前記把持棒及び前記清掃部の基準平面に対して、略垂直に立上り且つ該小突起部の立上り部の肉厚は約０．０１〜１ミリメートルであり、小突起部の先端は舌苔の掻き取りが出来且つ舌表面を損傷しない程度の所定の曲率をもって形成され、或は小突起部の先端が加熱融解された合成樹脂の金型内への進入立上りのままに細く形成された場合、小突起部は略垂直に立上り且つ該小突起部の立上り部の肉厚は約０．０１〜１ミリメートルであるので、この肉厚と小突起部の先端の曲率形状だけで舌苔の掻き取り強度を決めることができ、金型の製作を容易に行うことができる。  
【００１９】
更に、把持棒の端縁に配設された合成樹脂製の清掃部の形状がリング状或は中空の多角形状であるので、清掃部の構造が強くなり、デザインの観点からも見栄えがよくなる。
【００２０】
更にまた、把持棒の端縁に配設された合成樹脂製の清掃部の形状がリング状或は中空の多角形状であり、且つ前記リング状の部分或は多角形状の部分の上下方向の肉厚が把持棒側から把持棒側とは反対の先端に行くに従って薄くなるように形成されるの
で、弾性の度合が良くなり、清掃部が舌に当接する際、清掃部の先端が曲がり安くな
る。
【発明を実施するための最良の形態】
【００２１】
次に本発明の実施の形態について図面を参照して説明する。
【実施例１】
【００２２】
図１の（a）図は本発明の舌クリーナーの平面図である。同図１（b）は把持棒１を右方向（Q1―Q2）から見た図であり、同図１（c）は清掃部２の中心軸（ｍ−ｍ）において水平方向（D―D）から見た一部断面図であり、矢印（D―D）とは逆方向から見た図も同時に示されている。同図１（d）は清掃部２の（Ｅ―Ｅ）における一部断面図である。図２の（a）図は図１の中心軸（ｍ−ｍ）において水平方向から見た断面図である。図２（b）は把持棒１の（Ａ-Ａ）における断面図、同図２（c）は把持棒１の（B-B）における断面図、同図２（d）は把持棒１の（C-C）における断面図、同図２（e）は清掃部２の中心軸（ｍ−ｍ）における水平方向から見た断面図である。図３は図２（e）を５倍に拡大した断面図である。
【００２３】
次に、本発明について図面と共に説明する。把持棒１はポリプロピレン等の硬質の合成樹脂からなり、清掃部２は硬度約７０〜９５のエラストマー等の軟質の合成樹脂からなる。本実施例においては、清掃部２は硬度８０のエラストマーを使用している。把持棒１の略中心部に設けられた円筒状の切欠孔（破線で示す）１aの中に、清掃部２の一端に設けた周囲よりも径の細い小径円筒状突出部６をインサートして、把持棒１と清掃部２とを固着しており、軟質材よりなる清掃部２の小径円筒状突出部６を硬質材よりなる把持棒１の切欠孔１aで包囲することにより清掃部２が離脱し難いようにしている。
【００２４】
清掃部２の形状は清掃部２で舌表面上を掻き出し操作する時、手指で扱いやすい形状に構成されている。即ち、清掃部２は略三角形状のリング形であり、この三角形状の頂点に相当する位置に把持棒１が配設されている。そして、把持棒１と略対向する対向辺の形状、即ち、清掃部２の当接部３の形状は図１（c）に示されているように、対向辺の両端から中心軸に近ずくに従って凹むように凹状に形成されている。更に詳述すると、図１（c）に示すように、当接部３の右端の肉厚（W１）は中央部の肉厚（W２）よりも厚く、従って、当接部３の左右端から中央部に向かって次第に凹むように凹状に形成されている。
【００２５】
図8はこの様子を更に分りやすく表わした図面であり、舌８の外表面８aの形状に広範囲にわたり当接するように、清掃部２の当接部３の形状は左右端から中央部に向かって次第に凹むように凹状に形成されている。
このように、対向辺の清掃部２の当接部３の形状は中心軸に近づくに従って凹状に形成されているので、清掃部２の当接部３が舌に当接されると、上方に凸状の舌の外表面の形状に広範囲にわたり当接することになる。従って、清掃部２の１回〜２回の掻き取り操作で舌苔が完全に清掃される。
【００２６】
更に、清掃部２の舌と当接する当接部３は小突起部４a、４bを具備しており、図
２（e）及び図３に示されているように、この小突起部４a、４bの立上り傾斜角は、把持棒１及び清掃部２の中心軸（m-m）に対して垂直な平面（n-n）を中心に４０度と６０度と２種類の異なる角度に形成されている。立上り傾斜角の急峻な角度４０度の方は舌に当接した時、鋭い感じ、即ち、ハードな感じを与え、立上り傾斜角の緩慢な角度６０度の方は舌に当接した時、柔らかい感じ、即ち、ソフトな感じを与える。
なお、上記の説明においては小突起部４a、４bの中心軸（m-m）付近の中央部について考えたが、例えば、中央部から離れた点Rの場合には、当接部３の円弧の曲率の中心点Pから見て、把持棒1及び清掃部２の中心軸（m-m）を通る水平面（即ち、基準平面）に対して、４０度或は６０度の角度となる。
【００２７】
さて、上述においては、これら両小突起部４a、４bのそれぞれの立上り傾斜角に
ついて、把持棒１及び清掃部２の中心軸（m-m）に対して垂直な平面（n-n）を中心にして考えたが、把持棒及び清掃部の中心軸（m-m）を通る水平面（即ち、基準平面）に対して考えると、即ち、把持棒及び前記清掃部の基準平面に対して、上述の４０度と６０度の立上り傾斜角は、把持棒の掻取方向から見て、鈍角１１０度と１２０度となる。
【００２８】
また、清掃部２により、舌の表面上を掻き取る際、舌苔の掻き取り強度はこの小突起部の立上り傾斜角により定まるので、この角度を変えるだけで舌苔の掻き取り具合を調整できる。従って、たとえ、合成樹脂製の清掃部が経時変化で硬化しても、舌苔の掻き取り強度は殆ど変わらないという特徴が得られる。なお、その際、合成樹脂製の清掃部の硬度も関係して来るので、実際に舌の表面を掻き取りながら、立上り傾斜角を調整する。本発明者の実験によれば、合成樹脂製の清掃部２の硬度が約７０〜９５の場合、小突起部の立上り傾斜角は鈍角約１０５度〜１３０度が適当である。
【００２９】
また、図１及び図２に示すように、清掃部２の上下両端に設けられた当接部３，３の間に舌の清掃付着物が添着する添着用突出部５が設けられている。掻き取られた舌苔はこの突出部５により集められるので、清掃部から舌苔を極めて容易に取り除くことが出来る。把持棒の端縁に配設された軟質の合成樹脂製の清掃部２の形状はリング状或は中空の多角形状あるので、清掃部の構造が強くなり、デザインの観点からも見栄えがよくなる。
【００３０】
更に、図２（a）（e）及び図３に示されているように、中空の三角形状をした清掃部２の上下方向の肉厚（d１）（d２）が把持棒１側から把持棒側とは反対の当接部３の先端（４a）（４b）に行くに従って次第に薄くなるように形成されており、弾性の度合が良くなり、清掃部が舌に当接する際、清掃部の先端が舌の形状に沿って曲がり安くなり、舌を傷つける恐れが一層減少する。
【実施例２】
【００３１】
図４及び図５は本発明の他の実施例を示す図である。この実施例では清掃部２の形状が略円形になっており、その他の構造は実施例１と同様である。即ち、図４の（a）図は本発明の舌クリーナーの平面図である。同図４（b）は把持棒１を左方向から見た図であり、同図４（c）は清掃部２の中心軸（ｍ−ｍ）において水平方向から見た一部断面図であり、矢印（D―D）とは逆方向から見た図も同時に示されている。同図４（d）は清掃部２のE-Eにおける断面図である。図５の（a）図は図４の中心軸（ｍ−ｍ）における水平方向から見た当接部３の断面図である。図５（b）は把持棒１の（Ａ-Ａ）における断面図、同図５（c）は把持棒１の（B-B）における断面図、同図５（d）は把持棒１の（C-C）、同図２（e）は清掃部２の中心軸（ｍ−ｍ）における水平方向から見た断面図である。
【００３２】
なお、実施例１及び２においては、小突起部４a、４bを当接部３の両端につける例に述べたが、当接部を片方にのみつける場合には小突起部は１個のみであることは言うまでもない。
【実施例３】
【００３３】
図６は本発明の他の実施例を示す図であり、図７は図６の要部の拡大断面図である。
この実施例では清掃部２の小突起部４aは、把持棒１及び清掃部２の基準平面に対し
て、略垂直に立上り、且つその小突起部４aの立上り部の肉厚は約０．０１〜１ミリ
メートルである。そして、小突起部４aの先端は舌苔の掻き取りが出来且つ舌表面を
損傷しない程度の所定の曲率７をもって形成されている。また、小突起部４aの先端
は加熱融解された合成樹脂が狭い金型内へ流れ込み、自然に流れ込みが止まるままに
細く形成されても良い。
【図面の簡単な説明】
【００３４】
【図１】本発明の実施形態を示す舌クリーナーを示す図。同図（a）本発明の舌クリーナーの平面図、同図１（b）は把持棒１を右方向から見た図、同図１（c）は清掃部２の中心軸（ｍ−ｍ）において水平方向から見た一部断面図、同図１（d）は清掃部２のE-Eにおける一部断面図。
【図２】図１の中心軸（ｍ−ｍ）を通る断面図。同図２（a）図は図１の中心軸（ｍ−ｍ）において水平方向から見た断面図。同図２（b）は把持棒１の（Ａ-Ａ）における断面図、同図２（c）は把持棒１の（B-B）における断面図、同図２（d）は把持棒１の（C-C）における断面図、同図２（e）は清掃部２の中心軸（ｍ−ｍ）における水平方向から見た断面図。
【図３】図２（e）の拡大断面図。
【図４】本発明の他の実施形態を示す舌クリーナーを示す図。同図（a）本発明の他の舌クリーナーの平面図、同図４（b）は同図１（a）の把持棒１を左方向から見た図、同図４（c）は同図４（a）の清掃部２の中心軸（ｍ−ｍ）において水平方向から見た一部断面図、同図４（d）は清掃部２のE-Eにおける一部断面図。
【図５】図４（a）の中心軸（ｍ−ｍ）において水平方向から見た断面図。同図５（b）は把持棒１の（Ａ-Ａ）における断面図、同図５（c）は把持棒１の（B-B）における断面図、同図５（d）は把持棒１の（C-C）における断面図、同図５（e）は清掃部２の中心軸（ｍ−ｍ）における水平方向から見た断面図。
【図６】本発明の他の実施形態を示す舌クリーナーを示す断面図。
【図７】図６の一部拡大断面図。
【図８】本発明の実施形態の製品と舌との関係を模式的に示す図。
【符号の説明】
【００３５】
１        把持棒
１a       円筒状の切欠孔
２        清掃部
３        当接部
４a、４b  小突起部
５        添着用突出部
６        小径円筒状突出部
７        曲率
8         舌
８a       舌の外表面
【図１】
2009028529.tif 000003
【図２】
2009028529.tif 000004
【図３】
2009028529.tif 000005
【図４】
2009028529.tif 000006
【図５】
2009028529.tif 000007
【図６】
2009028529.tif 000008
【図７】
2009028529.tif 000009
【図８】
2009028529.tif 000010
【手続補正書】
【提出日】平成20年9月30日(2008.9.30)
【手続補正１】
【補正対象書類名】明細書
【補正対象項目名】００２２
【補正方法】変更
【補正の内容】
【００２２】
図１の（a）図は本発明の舌クリーナーの平面図である。同図１（b）は把持棒１を右方向（Q1―Q2）から見た図であり、同図１（c）は清掃部２の中心軸（ｍ−ｍ）において水平方向の矢印（D―D）から見た一部断面図であり、同図１（c’）は清掃部２の中心軸（ｍ−ｍ）において水平方向の矢印（D―D）とは逆方向から見た一部断面図である。同図１（d）は清掃部２の（Ｅ―Ｅ）における一部断面図である。図２の（a）図は図１の中心軸（ｍ−ｍ）において水平方向から見た断面図である。図２（b）は把持棒１の（Ａ-Ａ）における断面図、同図２（c）は把持棒１の（B-B）における断面図、同図２（d）は把持棒１の（C-C）における断面図、同図２（e）は清掃部２の中心軸（ｍ−ｍ）における水平方向から見た断面図である。図３は図２（e）を５倍に拡大した断面図である。
【手続補正２】
【補正対象書類名】明細書
【補正対象項目名】００２６
【補正方法】変更
【補正の内容】
【００２６】
更に、清掃部２の舌と当接する当接部３は小突起部４a、４bを具備しており、図２（e）及び図３に示されているように、この小突起部４a、４bの立上り傾斜角は、把持棒１及び清掃部２の中心軸（m-m）に対して垂直な平面（n-n）を中心に４０度と６０度と２種類の異なる角度に形成されている。立上り傾斜角の急峻な角度４０度の方は舌に当接した時、鋭い感じ、即ち、ハードな感じを与え、立上り傾斜角の緩慢な角度６０度の方は舌に当接した時、柔らかい感じ、即ち、ソフトな感じを与える。
なお、上記の説明においては小突起部４a、４bの中心軸（m-m）付近の中央部について考えたが、例えば、図１（a）において中央部から離れた点R、R’の場合には、当接部３の円弧の曲率の中心点Pから見て、把持棒1及び清掃部２の中心軸（m-m）を通る水平面（即ち、基準平面）に対して、４０度或は６０度の角度となる。
【手続補正３】
【補正対象書類名】明細書
【補正対象項目名】００２９
【補正方法】変更
【補正の内容】
【００２９】
また、図１及び図２に示すように、清掃部２の上下両端に設けられた当接部３，３の間に舌の清掃付着物が添着する添着用突出部５が設けられている。掻き取られた舌苔はこの突出部５により集められるので、清掃部から舌苔を極めて容易に取り除くことが出来る。把持棒の端縁に配設された軟質の合成樹脂製の清掃部２の形状はリング状或は中空の多角形状であるので、清掃部の構造が強くなり、デザインの観点からも見栄えがよくなる。
【手続補正４】
【補正対象書類名】明細書
【補正対象項目名】００３１
【補正方法】変更
【補正の内容】
【００３１】
図４及び図５は本発明の他の実施例を示す図である。この実施例では清掃部２の形状が略円形になっており、その他の構造は実施例１と同様である。即ち、図４の（a）図は本発明の舌クリーナーの平面図である。同図４（b）は把持棒１を左方向から見た図であり、同図４（c）は清掃部２の中心軸（ｍ−ｍ）において水平方向の矢印（D―D）から見た一部断面図であり、同図４（c’）は清掃部２の中心軸（ｍ−ｍ）において水平方向の矢印（D―D）とは逆方向から見た一部断面図である。同図４（d）は清掃部２のE-Eにおける断面図である。図５の（a）図は図４の中心軸（ｍ−ｍ）における水平方向から見た当接部３の断面図である。図５（b）は把持棒１の（Ａ-Ａ）における断面図、同図５（c）は把持棒１の（B-B）における断面図、同図５（d）は把持棒１の（C-C）、同図２（e）は清掃部２の中心軸（ｍ−ｍ）における水平方向から見た断面図である。
【手続補正５】
【補正対象書類名】明細書
【補正対象項目名】００３２
【補正方法】変更
【補正の内容】
【００３２】
なお、実施例１及び２においては、小突起部４a、４bを当接部３の両端につける例について述べたが、当接部を片方にのみつける場合には小突起部は１個のみであることは言うまでもない。
【手続補正６】
【補正対象書類名】明細書
【補正対象項目名】００３４
【補正方法】変更
【補正の内容】
【００３４】
【図１】本発明の実施形態を示す舌クリーナーを示す図。同図（a）本発明の舌クリーナーの平面図、同図１（b）は把持棒１を右方向から見た図、同図１（c）は清掃部２の中心軸（ｍ−ｍ）において水平方向の矢印(D―D)から見た一部断面図、同図１（c’）は清掃部２の中心軸（ｍ−ｍ）において水平方向の矢印(D―D)とは逆方向から見た一部断面図、同図１（d）は清掃部２のE-Eにおける一部断面図。
【図２】図１の中心軸（ｍ−ｍ）を通る断面図。同図２（a）図は図１の中心軸（ｍ−ｍ）において水平方向から見た断面図。同図２（b）は把持棒１の（Ａ-Ａ）における断面図、同図２（c）は把持棒１の（B-B）における断面図、同図２（d）は把持棒１の（C-C）における断面図、同図２（e）は清掃部２の中心軸（ｍ−ｍ）における水平方向から見た断面図。
【図３】図２（e）の拡大断面図。
【図４】本発明の他の実施形態を示す舌クリーナーを示す図。同図（a）本発明の他の舌クリーナーの平面図、同図４（b）は同図１（a）の把持棒１を左方向から見た図、同図４（c）は同図４（a）の清掃部２の中心軸（ｍ−ｍ）において水平方向の矢印(D―D)から見た一部断面図、同図１（c’）は清掃部２の中心軸（ｍ−ｍ）において水平方向の矢印(D―D)とは逆方向から見た一部断面図、同図４（d）は清掃部２のE-Eにおける一部断面図。
【図５】図４（a）の中心軸（ｍ−ｍ）において水平方向から見た断面図。同図５（b）は把持棒１の（Ａ-Ａ）における断面図、同図５（c）は把持棒１の（B-B）における断面図、同図５（d）は把持棒１の（C-C）における断面図、同図５（e）は清掃部２の中心軸（ｍ−ｍ）における水平方向から見た断面図。
【図６】本発明の他の実施形態を示す舌クリーナーを示す断面図。
【図７】図６の一部拡大断面図。
【図８】本発明の実施形態の製品と舌との関係を模式的に示す図。
【手続補正７】
【補正対象書類名】図面
【補正対象項目名】図１
【補正方法】変更
【補正の内容】
【図１】
2009028529.tif 000011
【手続補正８】
【補正対象書類名】図面
【補正対象項目名】図４
【補正方法】変更
【補正の内容】
【図４】
2009028529.tif 000012